(57)【特許請求の範囲】
【請求項１】
一対のフラットバーを複数のケーブルハンガーにより連結して梯子状に形成した電路において、
前記フラットバーの長手方向に所定の間隔で穿設したクリップ係止穴と、前記ケーブルハンガーの両端部を折曲してなる接合面に穿設したクリップ貫通孔とを備え、
前記フラットバーと前記ケーブルハンガーとの連結は、前記クリップ係止穴と前記クリップ貫通孔とを位置合わせした後、前記クリップ貫通孔側から前記クリップ係止穴側へ係止爪を備えたクリップを挿入し、前記クリップ係止穴を弾性変形して通り抜けた前記係止爪により抜け止めされ、
前記クリップ係止穴は、矩形の両側にボルト穴を形成するよう突出した舌部を備えていることを特徴とする電路。
【請求項２】
前記クリップは、挿入距離を一定値に定めるために、外周部につば部を備えていることを特徴とする請求項１に記載の電路。
【発明の詳細な説明】
【技術分野】
【０００１】
本発明は、たとえば建家や船舶等の建造物に適用され、電線を引き回して配線する際に用いられる電路の構造に関する。
【背景技術】
【０００２】
従来、建造物内に電線を引き回すための電路形成部材として、フラットバーとケーブルハンガーとを溶接して梯子型にした電路が知られている。このような梯子型の電路は、吊り足等を用いて構造物の天井等に固定支持され、ケーブルハンガー上に形成される電路上に電線を載置して配線することができる。しかし、溶接構造の電路を製造するには、ケーブルハンガー両端部をフラットバーに溶接するので、熟練した溶接技術者により、ケーブルハンガーの数に応じて多数の溶接箇所を施工することが必要になる。
【０００３】
また、溶接の施工を不要とした電路の構造としては、たとえば下記の特許文献１に開示されているように、ランナバー（フラットバーと同義）にハンガーの両端部を固着する手段として、弾性により包持する形状の爪を備えたものがある。
【先行技術文献】
【特許文献】
【０００４】
【特許文献１】実開昭６２−１４０８２３号公報
【発明の概要】
【発明が解決しようとする課題】
【０００５】
ところで、上述した溶接構造の電路は、多くの溶接工程を必要とするため、熟練した溶接技術者の確保が不可欠である。このため、電路の製造者にとっては、製造作業の効率化及び素人化を図るうえで溶接工程の改善が問題となっている。
一方、特許文献１に開示された電路は、溶接作業を不要とすることができるものの、ランナバーの設置方向が鉛直方向に一致すると、爪が耐えられなくなることも予想される。すなわち、電路を鉛直方向に設置して使用する場合、ハンガーにバンド等で固縛された電線の重量を固着手段の爪で受けるため、爪による固着が電線重量に耐えられなくなることも考えられる。
【０００６】
本発明は、上記の事情に鑑みてなされたものであり、その目的とするところは、鉛直方向の使用が可能なだけでなく、製造時の作業性に優れ、熟練した溶接技術者が不要で効率のよい電路を提供することにある。
【課題を解決するための手段】
【０００７】
本発明は、上記の課題を解決するため、下記の手段を採用した。
本発明に係る電路は、一対のフラットバーを複数のケーブルハンガーにより連結して梯子状に形成した電路において、前記フラットバーの長手方向に所定の間隔で穿設したクリップ係止穴と、前記ケーブルハンガーの両端部を折曲してなる接合面に穿設したクリップ貫通孔とを備え、前記フラットバーと前記ケーブルハンガーとの連結は、前記クリップ係止穴と前記クリップ貫通孔とを位置合わせした後、前記クリップ貫通孔側から前記クリップ係止穴側へ係止爪を備えたクリップを挿入し、前記クリップ係止穴を弾性変形して通り抜けた前記係止爪により抜け止めされ、前記クリップ係止穴は、矩形の両側にボルト穴を形成するよう突出した舌部を備えていることを特徴とするものである。
【０００８】
このような電路によれば、フラットバーの長手方向に所定の間隔で穿設したクリップ係止穴と、ケーブルハンガーの両端部を折曲してなる接合面に穿設したクリップ貫通孔とを備え、フラットバーとケーブルハンガーとの連結は、クリップ係止穴とクリップ貫通孔とを位置合わせした後、クリップ貫通孔側からクリップ係止穴側へ係止爪を備えたクリップを挿入し、クリップ係止穴を弾性変形して通り抜けた係止爪により抜け止めされるので、クリップ係止穴及びクリップ貫通孔にクリップを押圧して挿入するというワンタッチ操作により、容易かつ確実に組立することができる。
【０００９】
この場合、クリップがクリップ係止穴及びクリップ貫通孔を貫通し、係止爪による抜け止めが施されているので、フラットバーとケーブルハンガーとの連結はＸ，Ｙ，Ｚの３方向において確実に固定されるため、水平方向はもとより、鉛直方向の使用も可能になる。
また、クリップ係止穴が、矩形の両側にボルト穴を形成するよう突出した舌部を備えているので、ケーブルハンガーを連結しないクリップ係止穴を吊り足接続用のボルト穴として利用することができる。
【００１０】
上記の発明において、前記クリップは、挿入距離を一定値に定めるために、外周部につば部を備えていることが好ましい。
【発明の効果】
【００１１】
上述した本発明によれば、フラットバーとケーブルハンガーとの連結は、クリップ挿入というワンタッチ操作による連結が可能になるので、電路の製造に溶接作業のような熟練技術者が不要となり、属人性を排除して容易かつ確実に組立して製造することが可能になる。すなわち、本発明の電路は、鉛直方向の使用が可能なだけでなく、製造時の作業性に優れ、熟練した溶接技術者が不要で作業効率もよく、結果として、製品の歩留まり向上につながる。また、組立及び解体時には溶接作業が不要になり、環境にも優しい。
【図面の簡単な説明】
【００１２】
【図１】本発明に係る電路の一実施形態を示す組立状態の斜視図である。
【図２】フラットバーを示す図で、（ａ）は側面図、（ｂ）はクリップ係止穴の形状を示す図、（ｃ）は（ｂ）のＡ−Ａ断面図である。
【図３】ケーブルハンガーを示す図で、（ａ）は全体形状の斜視図、（ｂ）は接合面に穿設したクリップ貫通孔を示す図である。
【図４】クリップの形状例を示す図で、（ａ）はクリップを挿入側先端から見た正面図、（ｂ）は（ａ）の底面図である。
【発明を実施するための形態】
【００１３】
以下、本発明に係る電路の一実施形態を図面に基づいて説明する。
図１に示す実施形態の電路１は、左右一対のフラットバー１０を複数のケーブルハンガー２０により連結して梯子状に形成したものであり、建造物内に電線を引き回すための電路形成部材として使用される。このような梯子型の電路１は、図示しない吊り足等を用いて構造物の天井等に固定支持され、ケーブルハンガー２０上に形成される電路上に電線を載置して配線する。
【００１４】
フラットバー１０は、たとえば図２に示すように、細長い矩形状の板材である。フラットバー１０の長手方向（Ｘ方向）には、所定の間隔で穿設したクリップ係止穴１１が複数（図１の構成例では７箇所）設けられている。
クリップ係止穴１１は、矩形の両側にボルト穴を形成するよう突出した舌部１２を備えている。クリップ係止穴１１において、舌部１２は上辺の中央部から下方（−Ｙ方向）へ向けて穴中央付近まで延在しており、舌部１２の左右両側にはボルト穴１３として利用可能な貫通孔が一対形成されている。この結果、フラットバー１０とケーブルハンガー２０の連結に使用されないクリップ係止穴１１は、たとえば電路１を固定支持する際、ボルト穴１３を吊り足接続用のボルト穴として利用することができる。なお、舌部１２の両側にボルト穴１３が存在しているので、位置合わせの調整も容易である。
【００１５】
ケーブルハンガー２０は、たとえば図３に示すように、細長い矩形状の板材をプレス成形した部材であり、電線を載置して配線する電路形成面となる。このケーブルハンガー２０は、両端部を（−）Ｙ側に略直角に折曲してなる接合面２１に穿設した矩形状のクリップ貫通孔２２を備えている。このクリップ貫通孔２２はクリップ係止穴１１の矩形と略同形状とされ、ケーブルハンガー２０をフラットバー１０に上方から載置して組み付けた際には、接合面２１がフラットバー１０の外側に位置するとともに、クリップ貫通孔２２とクリップ係止穴１１とが略一致するような位置関係にある。
なお、ケーブルハンガー２０に形成された溝２３は、バンド等により電線を固縛して固定する際に使用される。
【００１６】
フラットバー１０とケーブルハンガー２０とは、クリップ係止穴１１とクリップ貫通孔２２とを位置合わせした後、クリップ３０を用いて一体に連結される。
このクリップ３０は、たとえば図４に示すように、挿入部３１にあって、なおかつ、弾性変形する係止爪３２を備えている。従って、クリップ貫通孔２２側からクリップ係止穴１１側へクリップ３０を押圧して挿入する際、クリップ係止穴１１をいったん弾性変形して通り抜けた係止爪３２が形状復帰することにより、係止爪３２はクリップ係止穴１１に係止されて抜け止めとなる。なお、クリップ３０は、たとえばバネ鋼等のように弾性を有する素材により製作される。
【００１７】
また、クリップ３０は、クリップ係止穴１１を通り抜けるように、挿入部３１の断面形状が略同形状とされる。従って、クリップ係止穴１１に備えられた舌部１２と干渉しないように、凹部３３が設けられている。この場合、クリップ３０の先端部（＋Ｚ側端部）をやや狭くすることにより、クリップ貫通孔２２への挿入及びクリップ係止穴１１の通り抜けが容易になる。
また、クリップ３０には、後端部（−Ｚ側端部）につば部であるストッパフランジ３４が設けられている。このストッパフランジ３４は、クリップ貫通孔２２より大きな形状とすることにより、ケーブルハンガー２０との接合面２１に当接してクリップ３０の挿入位置を規定する。
【００１８】
上述した係止爪３２は、図４（ｂ）に示すように、Ｚ方向において、（＋）Ｚ側から（−）Ｚ側へクリップ係止穴１１を形成する壁面端部と干渉するように、漸次広がっている。また、係止爪３２の後端部側（−Ｚ側）は、クリップ３０をクリップ係止穴１１へ挿入した際、内向きに潰れるように構成されている。すなわち、係止爪３２は、クリップ３０の先端部側からストッパフランジ３４側へ漸次広がっていて、また、係止爪３２のストッパフランジ３４側の端部が内向きに潰れるように構成されているため、クリップ３０の挿入時には、クリップ３０の軸中心方向へ内向きに弾性変形することができる。
【００１９】
このように、クリップ係止穴１１を形成する壁面端部との干渉によりを内向きに弾性変形して通り抜けた係止爪３２は、壁面端部との干渉から開放されることにより、弾性変形前の形状に復帰する。この結果、係止爪３２の後端部側は、クリップ係止穴１１よりＸ方向に広がることにより、フラットバー１０の内面（一対のフラットバー１０が対向する面）に係止される。このような係止状態になると、係止爪３２が抜け止めとなってクリップ３０を引き抜くことはできない。従って、フラットバー１０に対してケーブルハンガー２０を確実に連結して固定することができる。
なお、図示の構成例では、より確実で安定した係止をするため、挿入部３１の断面形状において凹部３３を除く３面に係止爪３２を形成しているが、これに限定されることはない。
【００２０】
このように構成された電路１は、フラットバー１０の長手方向（Ｘ方向）に所定の間隔で穿設したクリップ係止穴１１と、ケーブルハンガー２０の両端部を折曲してなる接合面２１に穿設したクリップ貫通孔２２とを備え、フラットバー１０とケーブルハンガー２０との連結は、クリップ係止穴１１とクリップ貫通孔２２とを位置合わせした後、クリップ貫通孔２２側からクリップ係止穴１１側へ係止爪３２を備えたクリップ３０を挿入し、クリップ係止穴１１を弾性変形して通り抜けた係止爪３２により抜け止めされるため確実に連結される。このため、クリップ係止穴１１及びクリップ貫通孔２２にクリップ３０を押圧して挿入するというワンタッチ操作により、熟練を要する溶接作業を行うことなく、電路１を容易かつ確実に組立することができる。
【００２１】
また、クリップ３０の挿入部３１がクリップ貫通孔２２及びクリップ係止穴１１を貫通し、係止爪３２による抜け止めが施されているので、フラットバー１０とケーブルハンガー２０との連結はＸ，Ｙ，Ｚの３方向において確実に固定される。従って、この電路１は、ケーブルハンガー２０の上面に電線を載置して配線する水平方向はもとより、ケーブルハンガー２０にバンド等で電線を固縛して配線する鉛直方向の使用も可能になる。
さらに、クリップ係止穴１１は、矩形の両側にボルト穴１３を形成するよう突出した舌部１２を備えているので、ケーブルハンガー２０を連結しないクリップ係止穴１１については、吊り足接続用のボルト穴１３として利用することができる。
【００２２】
このように、上述した本実施形態の電路１は、フラットバー１０とケーブルハンガー２０との連結をクリップ３０の挿入というワンタッチ操作により可能になるので、電路１の製造に溶接作業のような熟練技術者が不要となり、作業員の属人性を排除して容易かつ確実に組立して製造することが可能になる。
なお、本発明は上述した実施形態に限定されることはなく、たとえばクリップ係止穴１１を矩形にしてボルト穴１３を形成しない構造、クリップ係止穴１１、クリップ貫通孔２２及びクリップ３０の挿入部３１に矩形以外の断面形状を採用するなど、その要旨を逸脱しない範囲内において適宜変更することができる。
【符号の説明】
【００２３】
１    電路
１０    フラットバー
１１    クリップ係止穴
１２    舌部
１３    ボルト穴
２０    ケーブルハンガー
２１    接合面
２２    クリップ貫通孔
２３    溝
３０    クリップ
３１    挿入部
３２    係止爪
３３    凹部
３４    ストッパフランジ（つば部）
【図１】
0005638294.tif 000002
【図２】
0005638294.tif 000003
【図３】
0005638294.tif 000004
【図４】
0005638294.tif 000005